(57)【要約】【課題】本発明は、ボード面の活用多面性及び所望ボード面の検索作業の簡略化を図るようにしたマーカー用ボード（電子黒板）を提供する。【解決手段】本発明のマーカー用ボードは、一定間隔の駆動ローラ、従動ローラ及び複数のローラに掛け回されたエンドレスシート３に前記駆動ローラ、従動ローラに対応する幅で複数のボード面３ａ乃至３ｄを形成し、前記駆動ローラの回転によりで各ボード面３ａ乃至３ｄを各々筺体表面に表出させるマーカー用ボードであって、前記エンドレスシート３のボード面３ａ乃至３ｄの内の１面を、スクリーン専用ボード面又はマーカー用ボード面兼スクリーン用ボード面として構成し、駆動部を制御してエンドレスシートを正転又は逆転走行させながら、前記スクリーン専用ボード面又はマーカー用ボード面兼スクリーン用ボード面を、自動的に最短時間で、しかもワンタッチで、筺体表面に表出させる制御部とを有することを特徴とするものである。【選択図】図４
2004175070.tif 000002
【特許請求の範囲】
【請求項１】
少なくとも一定間隔に配置した２個又は２以上複数個のローラに掛け回されたエンドレスシートに、前記一定間隔に配置した２個のローラに対応する幅で複数のボード面を形成し、前記一定間隔に配置した２個のローラ間で、各ボード面を各々筺体表面に表出させるように構成したマーカー用ボードであって、
前記複数のボード面の内の１面を、スクリーン専用ボード面又はマーカー用ボード面兼スクリーン用ボード面として構成したことを特徴とするマーカー用ボード。
【請求項２】
一定間隔に配置した２個のローラ及びこの２個のローラの後部に配置した単数又は複数のローラに掛け回されたエンドレスシートに、前記一定間隔に配置した２個のローラに対応する幅で複数のボード面を形成し、前記一定間隔に配置した２個のローラ間で各ボード面を各々筺体表面に表出させるように構成したマーカー用ボードであって、
前記複数のボード面の内の１面を、スクリーン専用ボード面又はマーカー用ボード面兼スクリーン用ボード面として構成したことを特徴とするマーカー用ボード。
【請求項３】
一定間隔に配置した２個のローラ及びこの２個のローラの後部に配置した単数又は複数のローラに掛け回されたエンドレスシートに、前記一定間隔に配置した２個のローラに対応する幅で複数のボード面を形成し、前記一定間隔に配置した２個のローラ間で各ボード面を各々筺体表面に表出させるように構成したマーカー用ボードであって、
前記複数のボード面の内の１面を、スクリーン専用ボード面又はマーカー用ボード面兼スクリーン用ボード面として構成し、
前記スクリーン専用ボード面又はマーカー用ボード面兼スクリーン用ボード面を選択する選択信号を発する選択ボタンを備え、
前記選択信号が発せられたとき、エンドレスシートの各ボード面の内、前記スクリーン専用ボード面又はマーカー用ボード面兼スクリーン用ボード面を筺体表面に表出させるように構成したことを特徴とするマーカー用ボード。
【請求項４】
一定間隔に配置した２個のローラ及びこの２個のローラの後部に配置した単数又は複数のローラに掛け回されたエンドレスシートに、前記一定間隔に配置した２個のローラに対応する幅で複数のボード面を形成し、前記一定間隔に配置した２個のローラ間で各ボード面を各々筺体表面に表出させるように構成したマーカー用ボードであって、
前記複数のボード面の内の１面を、スクリーン専用ボード面又はマーカー用ボード面兼スクリーン用ボード面として構成するとともに、
前記エンドレスシートを正転回又は逆転回するように駆動する駆動部と、
前記スクリーン専用ボード面又はマーカー用ボード面兼スクリーン用ボード面の位置を示す指標と、
この指標を検出する検出部と、
前記スクリーン専用ボード面又はマーカー用ボード面兼スクリーン用ボード面を選択する選択信号を発する選択ボタンと、
前記選択信号に応じて前記駆動部を制御してエンドレスシートを正転又は逆転走行させながら、前記検出部が指標を検出した時点でエンドレスシートの走行を停止させ、前記スクリーン専用ボード面又はマーカー用ボード面兼スクリーン用ボード面を、自動的に最短時間で、しかもワンタッチで、筺体表面に表出させる制御部と、
を有することを特徴とするマーカー用ボード。
【請求項５】
一定間隔に配置した２個のローラ及びこの２個のローラの後部に配置した単数又は複数のローラに掛け回されたエンドレスシートに、前記一定間隔に配置した２個のローラに対応する幅で３面以上複数のボード面を形成し、前記一定間隔に配置した２個のローラ間で各ボード面を各々筺体表面に表出させるように構成したマーカー用ボードであって、
前記３面以上複数のボード面の内の１面を、スクリーン専用ボード面又はマーカー用ボード面兼スクリーン用ボード面として構成するとともに、
前記エンドレスシートを正転回又は逆転回するように駆動する駆動部と、
前記スクリーン専用ボード面又はマーカー用ボード面兼スクリーン用ボード面の位置を示す指標と、
この指標を検出する検出部と、
前記スクリーン専用ボード面又はマーカー用ボード面兼スクリーン用ボード面を選択する選択信号を発する選択ボタンと、
前記選択信号に応じて前記駆動部を制御してエンドレスシートを正転又は逆転走行させながら、前記検出部が指標を検出した時点でエンドレスシートの走行を停止させ、前記スクリーン専用ボード面又はマーカー用ボード面兼スクリーン用ボード面を、自動的に最短時間で、しかもワンタッチで、筺体表面に表出させる制御部と、
を有することを特徴とするマーカー用ボード。
【発明の詳細な説明】
【発明の属する技術分野】
本発明は、ボード面の活用多面性及び所望ボード面の検索作業の簡略化を図るようにしたマーカー用ボード（電子黒板）に関するものである。
【従来の技術】
従来のマーカー用ボード（電子黒板）の一例を図７、図８を参照して説明する。
図７に示すマーカー用ボードは、長尺帯状のエンドレスシート５０の両端を一対のローラ５１、５２に各々取り付け、ローラ５１、５２を駆動モータ等を用いた駆動部５３、５４により、往復回転駆動してエンドレスシート５０を巻き取ったり、巻き戻したりできるようにするとともに、例えば、図８に示すように、前記エンドレスシート５０に、５面の各ボード面５０ａ、５０ｂ、５０ｃ、５０ｄ、５０ｅを一定幅で形成し、その内の１面であるボード面５０ａをＯＨＰ（オーバーヘッドプロジェクタ）映写用のスクリーン面とし、他の４面であるボード面５０ｂ、５０ｃ、５０ｄ、５０ｅをマーカー用ボード面として構成している。
そして、図示しない操作ボタンを操作し、個々の各ボード面５０ａ乃至５０ｅを装置の表面に選択的に表出可能として、ＯＨＰ映写用のスクリーンとして又は文字、図形等の記載用として会議室等の場所で使用するようにしたものが知られている。
【発明が解決しようとする課題】
しかしながら、従来のマーカー用ボードの場合には、夫々の各ボート面５０ａ、５０ｂ、５０ｃ、５０ｄ、５０ｅが操作ボタンの操作の都度装置の表面に表出してその都度停止するように構成されており、５面の各ボード面５０ａ、５０ｂ、５０ｃ、５０ｄ、５０ｅの中から例えばＯＨＰ映写用のボード面５０ａを検索する場合、使用状況によっては操作ボタンを何回も押して当該ボード面５０ａを表出させなければならず、操作が煩雑であり、且つ、検索作業の迅速性に欠けるという問題があった。
また、従来のマーカー用ボードの場合には、各ボート面５０ａ乃至５０ｅがスクリーン面と、マーカー用ボード面とにはっきりと区分けされていたので、ある一つのボード面をマーカー用、スクリーン用の両方に使用したい要請に対応できず、一つのボード面の活用多面性を図れないという問題があった。
そこで、本発明は、ボード面の活用多面性を図ることができ、且つ、所望するボード面の検索作業の簡略化、迅速性を図ることができるマーカー用ボードを提供することを目的とするものである。
【課題を解決するための手段】
請求項１記載の発明のマーカー用ボードは、少なくとも一定間隔に配置した２個又は２以上複数個のローラに掛け回されたエンドレスシートに、前記一定間隔に配置した２個のローラに対応する幅で複数のボード面を形成し、前記一定間隔に配置した２個のローラ間で、各ボード面を各々筺体表面に表出させるように構成したマーカー用ボードであって、前記複数のボード面の内の１面を、スクリーン専用ボード面又はマーカー用ボード面兼スクリーン用ボード面として構成したことを特徴とするものである。
請求項２記載の発明のマーカー用ボードは、一定間隔に配置した２個のローラ及びこの２個のローラの後部に配置した単数又は複数のローラに掛け回されたエンドレスシートに、前記一定間隔に配置した２個のローラに対応する幅で複数のボード面を形成し、前記一定間隔に配置した２個のローラ間で各ボード面を各々筺体表面に表出させるように構成したマーカー用ボードであって、前記複数のボード面の内の１面を、スクリーン専用ボード面又はマーカー用ボード面兼スクリーン用ボード面として構成したことを特徴とするものである。
請求項１、２記載の発明によれば、エンドレスシートを、少なくとも一定間隔の２個のローラにより、更には２個以上のローラにより無端で正転回又は逆転回走行する構成とするとともに、複数のボード面の内の１面を、スクリーン専用ボード面又はマーカー用ボード面兼スクリーン用ボード面として構成しているので、このボード面を筺体の表面に表出させることによって、ＯＨＰ映写を行い各種画像表示を実行できることは勿論、特にボード面をマーカー用ボード面兼ＯＨＰ映写用のスクリーン用ボード面とした場合には、ＯＨＰ映写を行わない場合でも文字、図形等の書き込みを行うことができ、このボード面を多面的に利用することができる。
請求項３記載の発明のマーカー用ボードは、一定間隔に配置した２個のローラ及びこの２個のローラの後部に配置した単数又は複数のローラに掛け回されたエンドレスシートに、前記一定間隔に配置した２個のローラに対応する幅で複数のボード面を形成し、前記一定間隔に配置した２個のローラ間で各ボード面を各々筺体表面に表出させるように構成したマーカー用ボードであって、前記複数のボード面の内の１面を、スクリーン専用ボード面又はマーカー用ボード面兼スクリーン用ボード面として構成し、前記スクリーン専用ボード面又はマーカー用ボード面兼スクリーン用ボード面を選択する選択信号を発する選択ボタンを備え、前記選択信号が発せられたとき、エンドレスシートの各ボード面の内、前記スクリーン専用ボード面又はマーカー用ボード面兼スクリーン用ボード面を筺体表面に表出させるように構成したことを特徴とするものである。
請求項３記載の発明によれば、前記操作パネルの選択ボタンを押すことによって、前記制御部は、駆動部を制御してエンドレスシートを正転又は逆転走行させながら、前記検出部がボード面の隅部に付した指標を検出した時点でその検出信号を基にエンドレスシートの走行を停止させ、複数のボード面の中の一つである前記スクリーン専用ボード面又はマーカー用ボード面兼スクリーン用ボード面を自動的に筺体の表面に表出させるので、特にＯＨＰ映写を行い各種画像表示を実行する作業を欲する際に、このスクリーン専用ボード面又はマーカー用ボード面兼スクリーン用ボード面であるボード面を検索する作業の簡略化、迅速化を図ることができる。
請求項４記載の発明のマーカー用ボードは、一定間隔に配置した２個のローラ及びこの２個のローラの後部に配置した単数又は複数のローラに掛け回されたエンドレスシートに、前記一定間隔に配置した２個のローラに対応する幅で複数のボード面を形成し、前記一定間隔に配置した２個のローラ間で各ボード面を各々筺体表面に表出させるように構成したマーカー用ボードであって、前記複数のボード面の内の１面を、スクリーン専用ボード面又はマーカー用ボード面兼スクリーン用ボード面として構成するとともに、前記エンドレスシートを正転回又は逆転回するように駆動する駆動部と、前記スクリーン専用ボード面又はマーカー用ボード面兼スクリーン用ボード面の位置を示す指標と、この指標を検出する検出部と、前記スクリーン専用ボード面又はマーカー用ボード面兼スクリーン用ボード面を選択する選択信号を発する選択ボタンと、前記選択信号に応じて前記駆動部を制御してエンドレスシートを正転又は逆転走行させながら、前記検出部が指標を検出した時点でエンドレスシートの走行を停止させ、前記スクリーン専用ボード面又はマーカー用ボード面兼スクリーン用ボード面を自動的に最短時間で、しかもワンタッチで、筺体表面に表出させる制御部とを有することを特徴とするものである。
請求項５記載の発明のマーカー用ボードは、一定間隔に配置した２個のローラ及びこの２個のローラの後部に配置した単数又は複数のローラに掛け回されたエンドレスシートに、前記一定間隔に配置した２個のローラに対応する幅で３面以上複数のボード面を形成し、前記一定間隔に配置した２個のローラ間で各ボード面を各々筺体表面に表出させるように構成したマーカー用ボードであって、前記３面以上複数のボード面の内の１面を、スクリーン専用ボード面又はマーカー用ボード面兼スクリーン用ボード面として構成するとともに、前記エンドレスシートを正転回又は逆転回するように駆動する駆動部と、前記スクリーン専用ボード面又はマーカー用ボード面兼スクリーン用ボード面の位置を示す指標と、この指標を検出する検出部と、前記スクリーン専用ボード面又はマーカー用ボード面兼スクリーン用ボード面を選択する選択信号を発する選択ボタンと、前記選択信号に応じて前記駆動部を制御してエンドレスシートを正転又は逆転走行させながら、前記検出部が指標を検出した時点でエンドレスシートの走行を停止させ、前記スクリーン専用ボード面又はマーカー用ボード面兼スクリーン用ボード面を、自動的に最短時間で、しかもワンタッチで、筺体表面に表出させる制御部とを有することを特徴とするものである。
請求項４、５記載の発明によれば、前記操作パネルの選択ボタンを押すことによって、前記制御部は、駆動部を制御してエンドレスシートを正転又は逆転走行させながら、前記検出部がボード面の隅部に付した指標を検出した時点でその検出信号を基にエンドレスシートの走行を停止させ、複数のボード面の中の一つである前記スクリーン専用ボード面又はマーカー用ボード面兼スクリーン用ボード面を、自動的に最短時間で、しかもワンタッチで、筺体の表面に表出させるので、特にＯＨＰ映写を行い各種画像表示を実行する作業を欲する際に、このスクリーン専用ボード面又はマーカー用ボード面兼スクリーン用ボード面であるボード面を検索する作業の簡略化、迅速化を図ることができる。
【発明の実施の形態】
以下に本発明の実施の形態について詳細に説明する。
図１は本発明の実施の形態のマーカー用ボードの全体構成を示すもので、例えば、脚１９により支持された直方体状で前面が長方形状に開口した内側筺体１５と、支柱１７及び脚１８によって支持され水平な床面上に載置される箱型の外側筺体１６とを有している。
外側筺体１６は、その正面右隅部に配置した横長の操作パネル９と、内部に配置した制御回路８と、操作パネル９の下部に配置したプリンタ１１とを備えている。操作パネル９には、プリントボタン、スクリーン選択ボタン等各種の操作を行うボタン群が設けられている。
前記の内側筺体１５は、矢印ｄ，ｄで示すように、外側筺体１６に設けた収容部に嵌め入れられて固定されるようになっている。
前記プリンタ１１は、例えばインクジェット式プリンタを用い、後述するイメージセンサユニット７により収集される画像情報を基に、印字又は印画されて、使用者に提供されるようになっている。
本実施の形態における内側筺体１５に組み込んだエンドレスシート３は、図４の如くその展開長さＬ１を図２に示す寸法Ｌの約４倍に設定してある。
上記の寸法Ｌは駆動ローラ１と従動ローラ２との配置間隔の寸法であって、図２に示すように、エンドレスシート３がマーカー用ボード自体の前面に張り渡された区域間の長さに相当する。
なお、エンドレスシート３の展開長さＬ１とは、還形ベルト状のエンドレスシート３の縁に沿って１周する長さをいう。駆動ローラ１は駆動モータ４により回転駆動される。
エンドレスシート３がマーカー用ボードの前面に張り渡されている区域以外の部分は、図２に示すように、その背面側に配置された折返しローラ２２、及び背面引回しローラ２３ａに巻き掛けて折り返し、背面引回しローラ２３ｂに巻き掛けて折り曲げられ前記駆動ローラ１の外周に至るようになっている。
駆動ローラ１と従動ローラ２との間にはエンドレスシート３の背面に近接する配置に垂直配置の平坦面を形成する下敷ボード２１を配置している。
更に、前記背面引回しローラ２をテンションスプリング２０で付勢してエンドレスシート３に張力を与えている。上記の当該張力によって、前記エンドレスシート３を弛むこと無く張り渡し、また、前記駆動ローラ１との摩擦伝動によって、当該エンドレスシート３の周回走行或いは正転・逆転走行を確実にしている。
エンドレスシート３の表面には、例えば、図４に示すように、一定の寸法Ｌ（全体で展開長さＬ１）毎に合計４面のボード面３ａ、３ｂ、３ｃ、３ｄが形成されている。合計４面のボード面３ａ乃至３ｄのうち、ボード面３ｂ乃至３ｄは、各々文字図形等の書き込みや書いたものを消せるマーカー専用ボード面として構成している。また、一つのボード面３ａはＯＨＰ映写用のスクリーン専用ボード面又はマーカー用ボード面兼ＯＨＰ映写用のスクリーン用ボード面として構成している。
前記ボード面３ａをスクリーン専用ボード面とする場合には、ポリエステル製のボード面に、アクリル系剤を塗布し光沢度１０％前後とするハードコート処理をする。
また、前記ボード面３ａをマーカー用ボード面兼スクリーン用ボード面とする場合には、ポリエステル製のボード面にアクリル系剤を塗布し、光沢度７０％前後とするハードコート処理をする。
すなわち、ボード面３ａは、上述したように、ＯＨＰ映写用のスクリーン専用ボード面又はマーカー用ボード面兼ＯＨＰ映写用のスクリーン用ボード面として構成されていて、ＯＨＰ映写ができ、且つ、マーカーペンで書き込めるし、消せるように表面処理するものである。
更に、前記ＯＨＰ映写用のスクリーン専用ボード面又はマーカー用ボード面兼ＯＨＰ映写用のスクリーン用ボード面として構成したボード面３ａの下側隅部には、このボード面３ａの位置を示す指標（センサーマーク）３ｅを付している。各々文字図形等の書き込みや書いたものを消せるマーカー専用ボード面として構成している前記ボード面３ｂ乃至３ｄの上側隅部には、このボード面３ｂ乃至３ｄの位置を示す指標（センサーマーク）３ｆを付している。
また、内側筺体１５には、例えば前記駆動ローラ２３ａの近傍に光源２４、ミラー２５を配置しＣＣＤラインセンサにより構成されるイメージセンサユニット７を配置している。本実施の形態では、光源２４、ミラー２５、ＣＣＤラインセンサにより構成したイメージセンサユニット７をもって前記指標３ｅ、３ｆを検出するようにしていて、当該イメージセンサユニット７を指標３ｅ、３ｆの検出部として構成している。
図３は本発明の実施の形態のマーカー用ボードの制御系を示すものであり、全体の制御を制御部である制御回路８により行うものである。
すなわち、前記イメージセンサユニット７は、光源２４、ミラー２５、ＣＣＤラインセンサにより構成され、上述したように前記指標３ｅ、３ｆを検出し読み取るとともに、プリント指示し、ボード面３ａ乃至３ｄに描かれる文字、図形を画像情報として読み取り、電気信号に変換して制御部である制御回路８に入力するようになっている。
制御回路８は、文字、図形等の画像情報を記憶部１２に記憶し、画像処理を行い、更に、操作パネル９から与えられたプリント指示に基づいてイメージセンサユニット７にて収集する画像情報をプリンタ１１に送り出力させる。
また、制御回路８は、前記操作パネル９のスクリーン選択ボタンが押されたとき、駆動モータ４を駆動制御してエンドレスシート３を既述したように周回走行或いは正転・逆転走行させながら、前記イメージセンサユニット７が指標３ｅを検出した時点で、その検出信号を基にエンドレスシート３の走行を停止させ、前記スクリーン専用ボード面又はマーカー用ボード面兼スクリーン用ボード面であるボード面３ａを、自動的に最短時間で、しかもワンタッチで、内側筺体１５の表面に表出させる。
次に、本実施の形態に係るマーカー用ボードの作用をエンドレスシート３の構成、作用の点を主にして説明する。
本実施の形態のマーカー用ボードによれば、エンドレスシート３を無端で周回走行或いは正転・逆転走行する構成とするとともに、前記一つのボード面３ａをＯＨＰ映写用のスクリーン専用ボード面又はマーカー用ボード面兼ＯＨＰ映写用のスクリーン用ボード面として構成しているので、このボード面３ａを内側筺体１５の表面に表出させることによって、ＯＨＰ映写を行い各種画像表示を実行できることは勿論、特にボード面３ａをマーカー用ボード面兼ＯＨＰ映写用のスクリーン用ボード面とした場合には、ＯＨＰ映写を行わない場合でも文字、図形等の書き込みを行うことができ、このボード面３ａを多面的に利用できる。
また、必要に応じて操作パネル９のスクリーン選択ボタンを押すことによって、前記制御回路８は、駆動モータ４を駆動制御してエンドレスシート３を周回走行或いは正転・逆転走行させながら、前記イメージセンサユニット７が指標３ｅを検出した時点で、その検出信号を基にエンドレスシート３の走行を停止させて、前記スクリーン専用ボード面又はマーカー用ボード面兼スクリーン用ボード面であるボード面３ａを、自動的に最短時間で、しかもワンタッチで内側筺体１５の表面に表出させるので、特にＯＨＰ映写を行い各種画像表示を実行する作業を欲する際、このボード面３ａを検索する作業の格段の簡略化、迅速化を図ることができる。
図５はエンドレスシート３０を２個のローラ構成で周回走行或いは正転・逆転走行させる他の実施の形態のマーカー用ボードの概略構成を示すものである。この場合、エンドレスシート３０には、スクリーン専用ボード面又はマーカー用ボード面兼スクリーン用ボード面であるボード面３０ａと、マーカー専用ボード面であるボード面３０ｂとの２面を形成して、エンドレスシート３０を駆動ローラ１、従動ローラ２に掛け回し周回走行或いは正転・逆転走行させるものである。この他の構成は、既述した実施の形態と同様である。
図５に示す他の実施の形態のマーカー用ボードによっても、既述した実施の形態の場合と同様な作用、効果を発揮させることができる。
図６はエンドレスシート４０を６個のローラ構成で周回走行或いは正転・逆転走行させる別の実施の形態のマーカー用ボードの概略構成をを示すものである。この場合、エンドレスシート４０には、スクリーン専用ボード面又はマーカー用ボード面兼スクリーン用ボード面であるボード面４０ａと、マーカー専用ボード面である２面のボード面４０ｂ、４０ｃとの合計３面を形成して、エンドレスシート４０を駆動ローラ１、従動ローラ２及び背面引き回しローラ４１ａ乃至４１ｄに掛け回し周回走行或いは正転・逆転走行させるものである。この他の構成は、既述した実施の形態と同様である。
図６に示す他の実施の形態のマーカー用ボードによっても、既述した実施の形態の場合と同様な作用、効果を発揮させることができる。
【発明の効果】
本発明によれば、ＯＨＰ映写を行い各種画像表示を実行できることは勿論、特にボード面をマーカー用ボード面兼ＯＨＰ映写用のスクリーン用ボード面とした場合には、ＯＨＰ映写を行わない場合又はＯＨＰ映写を行いながらでも文字、図形等の書き込みや書いたものの消去を行うことができ、このボード面を多面的に利用することができるマーカー用ボードを提供できる。
また、本発明によれば、上記発明の効果を奏することに加え、特にＯＨＰ映写を行い各種画像表示を実行する作業を欲する際に、操作パネルの選択ボタンを押すだけの簡略な操作で、このスクリーン専用ボード面又はマーカー用ボード面兼スクリーン用ボード面であるボード面を検索を自動的に、ワンタッチで簡略、迅速に行うことができるマーカー用ボードを提供できる。
【図面の簡単な説明】
【図１】本発明の実施の形態のマーカー用ボードの分解斜視図である。
【図２】本発明の実施の形態のマーカー用ボードのエンドレスシート及び各ローラの配置を示す概略平面図である。
【図３】本発明の実施の形態のマーカー用ボードの制御系を示す概略図である。
【図４】本発明の実施の形態のマーカー用ボードにおけるエンドレスシートの展開図である。
【図５】本発明のマーカー用ボードの他の実施の形態を示す概略構成図である。
【図６】本発明のマーカー用ボードの更に別の実施の形態を示す概略構成図である。
【図７】従来のマーカー用ボードの概略構成図である。
【図８】従来のマーカー用ボードにおけるエンドレスシートの展開図である。
【符号の説明】
１    駆動ローラ
２    従動ローラ
３    エンドレスシート
３ａ〜３ｄ  ボード面
３ｅ  指標
３ｆ  指標
４    駆動モータ
７    イメージセンサユニット
８    制御回路
９    操作パネル
１１    プリンタ
１２    記憶部
１３    カッタ
１５    内側筺体
１６    外側筺体
１７    支柱
１８    脚
２０    テンションスプリング
２１    下敷ボード
２２    折返しローラ
２３ａ  背面引回しローラ
２３ｂ  背面引回しローラ
２４    光源
２５    ミラー
３０    エンドレスシート
３０ａ  ボード面
３０ｂ  ボード面
４０    エンドレスシート
４０ａ  ボード面
４０ｂ  ボード面
４０ｃ  ボード面
４１ａ〜４１ｄ  背面引回しローラ
【図１】
2004175070.tif 000003
【図２】
2004175070.tif 000004
【図３】
2004175070.tif 000005
【図４】
2004175070.tif 000006
【図５】
2004175070.tif 000007
【図６】
2004175070.tif 000008
【図７】
2004175070.tif 000009
【図８】
2004175070.tif 000010